(57)【要約】本開示の一態様により、コロナ処理システムにおける接地ローラーに点検が必要であるか否かを検知するカラーセンサーを提供する。カラーセンサーは、接地ローラーの反射率レベルを所定のレベルから変化させた欠陥を検出することが可能である。本開示の別の態様によれば、接地ローラーに点検が必要であるという判断がなされると、アラームが作動し、及び／又はコロナ処理システムの動作が停止する。
2019511638.tif 000002
【特許請求の範囲】
【請求項１】
端部プレートと、
前記端部プレートに取り付けられる回転可能な接地ローラーと、
前記端部プレートに取り付けられるとともに、前記接地ローラーの近位に取り付けられる高圧電極と、
前記接地ローラー上の欠陥を検出することが可能な、前記接地ローラーの近位のカラーセンサーとを備えるコロナ処理システム。
【請求項２】
前記カラーセンサーは、前記端部プレートに取り付けられる請求項１に記載のコロナ処理システム。
【請求項３】
前記接地ローラーが取り付けられる第２の端部プレートを更に備える請求項１に記載のコロナ処理システム。
【請求項４】
前記カラーセンサーが取り付けられるアームを更に備え、該アームは前記端部プレートに接続される請求項２に記載のコロナ処理システム。
【請求項５】
前記アームは、前記接地ローラーに対する前記カラーセンサーの位置を変更することができるように前記端部プレートに可動に取り付けられる請求項２に記載のコロナ処理システム。
【請求項６】
前記カラーセンサーは、前記接地ローラーに対する前記カラーセンサーの位置を変更することができるように、前記接地ローラーに対して可動である請求項１に記載のコロナ処理システム。
【請求項７】
前記カラーセンサーは、前記電極に対して概ね直径方向に対向する請求項１に記載のコロナ処理システム。
【請求項８】
前記カラーセンサーは、前記電極から４５度以上離れた角度に位置付けられる請求項１に記載のコロナ処理システム。
【請求項９】
前記カラーセンサーと通信する制御装置と、前記制御装置と通信するアラームとを更に備え、前記接地ローラーが欠陥を有すると前記カラーセンサーにより判定されると、前記制御装置に信号が送信され、前記アラームが作動する請求項１に記載のコロナ処理システム。
【請求項１０】
前記アラームは光である請求項９に記載のコロナ処理システム。
【請求項１１】
前記アラームは可聴信号である請求項９に記載のコロナ処理システム。
【請求項１２】
前記カラーセンサーと通信する制御装置を更に備え、前記接地ローラーが欠陥を有すると前記カラーセンサーにより判断されると、前記制御装置に信号が送信され、前記電極の動作を停止する請求項１に記載のコロナ処理システム。
【請求項１３】
前記カラーセンサーは前記接地ローラーの端部の近位に位置付けられる請求項１に記載のコロナ処理システム。
【請求項１４】
端部プレートと、
前記端部プレートに取り付けられる回転可能な接地ローラーと、
前記端部プレートに取り付けられるとともに、前記接地ローラーの近位に取り付けられる高圧電極と、
前記端部プレートに取り付けられるカラーセンサーであって、該カラーセンサーは、該カラーセンサーの光線が前記接地ローラーの端部の近位で前記接地ローラー上に向けられるように取り付けられ、該カラーセンサーは、前記接地ローラー上の欠陥を検出することが可能であり、該カラーセンサーは、前記接地ローラーに対する前記カラーセンサーの位置を変更することができるように、前記接地ローラーに対して可動である、カラーセンサーと、
前記カラーセンサーと通信する制御装置と、
前記制御装置と通信するアラームとを備え、
前記接地ローラーが欠陥を有すると前記カラーセンサーにより判断されると、前記制御装置に信号が送信され、前記アラームが作動する、コロナ処理システム。
【請求項１５】
接地ローラーの近位の高圧電極を作動させてコロナを形成することと、
前記接地ローラーを回転して、前記高圧電極を通過するようにウェブを移動させることと、
前記接地ローラー上の欠陥を検知することとを含む、コロナ処理システムを動作させる方法。
【請求項１６】
前記接地ローラー上の前記欠陥を送信するのにカラーセンサーを用いる請求項１５に記載の方法。
【請求項１７】
前記検知された欠陥が所定のレベルを超えた場合、アラームを作動させることを更に含む請求項１５に記載の方法。
【請求項１８】
前記検知された欠陥が所定のレベルを超えた場合、前記電極及び前記接地ローラーの動作を停止することを更に含む請求項１５に記載の方法。
【請求項１９】
前記検知された欠陥が所定のレベルを超えた場合、可聴信号を作動させることを更に含む請求項１５に記載の方法。
【請求項２０】
前記検知された欠陥が所定のレベルを超えた場合、視覚信号を作動させることを更に含む請求項１５に記載の方法。
【発明の詳細な説明】
【技術分野】
【０００１】
本発明は、包括的には、ウェブのコロナ処理に関する。より詳細には、本発明は、コロナ処理システムにおいて用いられる接地ローラー上の欠陥を検出し、接地ローラーに点検が必要であることを示すことが可能なカラーセンサーに関する。
【背景技術】
【０００２】
コロナ処理とは、コロナ放電を用いてウェブの表面を改質することで、インク及び接着剤を受け付ける能力を向上させる方法である。コロナ処理において、高圧電極が、接地電極を形成する接地ローラーに対して平行かつ離間して設けられる。電極間の空隙にエネルギーを与えると、コロナが形成され、このコロナは、ウェブが通過する際に、ウェブを形成している材料を改質し、ウェブのインク及び接着剤に対する受容性を高める。コロナは、空気が存在するこの空隙内のいずれの場所にも発生する。
【０００３】
「バックサイド処理（backside treat）」として知られる事象は、コロナ処理システムがウェブの片面のみを処理するように意図されているにもかかわらず、処理されるウェブの両面にコロナが発生する結果として起こる。こうして生じるウェブの裏面における望ましくない処理は、ブロッキング（blocking：貼り付き）及びピッキング（picking：紙剥け）を引き起こす場合がある。上記結果として生じるウェブの裏面における望ましくない処理は、ウェブのうち処理が必要な面における処理レベルを不十分にする場合もある。なぜなら、ウェブを処理するはずの力の一部が反対面に伝達されることにより、処理される面にもたらされるワット密度が低減されるためである。
【０００４】
バックサイド処理の原因は複数あるが、その全てが、処理されるウェブの下に空気が閉じ込められることに起因する。バックサイド処理の最も一般的な原因のうちの１つは、コロナ接地ロール上に蓄積した塵である。コロナ処理システムが剥き出しのロールであるかカバー付きのロールであるかにかかわらず、塵の蓄積したものが接地ローラーの表面に堆積することになる。塵の蓄積物がこうして不均一に堆積することで、ウェブが接地ローラーの表面から持ち上がり、ウェブの下に空気を閉じ込める。塵の蓄積により生じるバックサイド処理を排除するには、接地ローラーを清掃しなければならない。
【発明の概要】
【０００５】
１つの態様において、コロナ処理システムに用いられる接地ローラーに点検が必要であるか否かを検出することが可能なカラーセンサーを提供する。カラーセンサーは、接地ローラーの反射率レベルを所定のレベルから変化させた欠陥を検出することが可能である。
【０００６】
別の態様において、接地ローラーに点検が必要であるという判断がなされると、アラームが作動し、及び／又はコロナ処理システムの動作が停止する。
【０００７】
本発明の範囲は、添付の特許請求の範囲によってのみ規定され、この概要内の記載によって影響を受けない。
【０００８】
本発明は、添付図面及び以下の記載を参照してよりよく理解することができる。図における構成要素は、必ずしも縮尺どおりではなく、本発明の原理を説明するために、代わって誇張されている。
【図面の簡単な説明】
【０００９】
【図１】本開示の特徴を組み込んだコロナ処理システムの斜視図である。
【図２】本システムの特徴を示すために覆いが取り除かれた、コロナ処理システムの一部の代替的な斜視図である。
【図３】コロナ処理システムの側面図である。
【図４】図１の線４−４に沿ったコロナ処理システムの断面図である。
【図５】コロナ処理システムの拡大部分図である。
【図６】図３の線６−６に沿ったコロナ処理システムの断面図である。
【図７】図３の線７−７に沿ったコロナ処理システムの断面図である。
【図８】制御システムのブロック図である。
【発明を実施するための形態】
【００１０】
本発明は様々な形態の実施形態に適用可能とすることができるが、具体的な実施形態が図面に示されているとともに、本明細書において詳細に記載される。ここでは、本開示は、本発明の原理の例示とみなされるべきであり、本発明を本明細書に説明及び記載されるものに限定することは意図していないことが理解される。したがって、別段記載されない限り、本明細書に開示の特徴は、簡略化のため別段示されていない更なる組合せを形成するために組み合わせることができる。
【００１１】
図面は、本開示の特徴を組み込んだコロナ処理システム２０を示している。コロナ処理システム２０は、印刷機（図示せず）と併せて使用されるように適合することができる。コロナ処理システム２０は、円筒形接地ローラー２２と、高圧電極２４と、接地ローラー２２の表面２２ａ上の欠陥を検知するカラーセンサー２６とを備える。本明細書で定義される場合の欠陥とは、接地ローラー２２の反射率レベルを所定のレベルから変化させる、接地ローラー２２上の事物である。例えば、欠陥は、接地ローラー２２上のごみ、接地ローラー２２上の水、接地ローラー２２の酸化、接地ローラー２２の孔食によって生じ得る。コロナ処理システム２０は、可撓性ウェブ（図示せず）の表面を改質して、インク及び接着剤を受け付ける能力を向上させるのに用いられる。ウェブは、接地ローラー２２と電極２４との間に通され、その間、ウェブ材料を処理して、材料を改質する。コロナ処理システム２０によって処理することができるウェブの例として、限定はしないが、紙、ポリマーフィルム、エラストマー、プラスチック、発泡材等が挙げられる。
【００１２】
概して、コロナ処理システム２０は、第１の端部プレート３４及び第１の端部プレート３４と平行関係の第２の端部プレート３６が支えられる、コントロールパネル３２を備える電源キャビネット３０を備え、接地ローラー２２は、プレート３４、３６間に回転可能に取り付けられ、カラーセンサー２６は、接地ローラー２２の近位にあり、また、コロナ処理システム２０は、プレート３４、３６間に取り付けられる電極支持管３８と、電極支持管３８に取り付けられるとともに、接地ローラー２２から離間した関係で高圧電極２４を支持する電極マガジン４０と、プレート３４、３６間に回転可能に取り付けられるとともに、接地ローラー２２から離間した複数のアイドラーローラー４２と、キャビネット３０内に設けられ、カラーセンサー２６と通信してキャビネット３０上のディスプレイ及び／又はライト４６を制御する装置４００とを備える。タイバー４８を、端部プレート３４、３６間に設けることができる。カラーセンサー２６は、カラーセンサー２６が、接地ローラー２２の反射率レベルを検知することができるように、接地ローラー２２の近位にある。カラーセンサー２６は、端部プレートのうちの一方に取り付けることができ、図示のように、カラーセンサー２６は、端部プレート３４上に取り付けられ、カラーセンサー２６は、接地に取り付けることができる。
【００１３】
電極支持管３８及び電極支持管３８に取り付けられた電極マガジン４０は、当該技術分野において既知のように、端部プレート３４、３６に旋回可能に接続することができる。代替的には、電極マガジン４０は、当該技術分野において既知のように電極支持管３８上に摺動可能に取り付けることができる。これにより、電極マガジン４０は、非動作位置又はメンテナンス位置と、動作位置又はウェブ処理位置との間で移動することが可能である。電極支持管３８は、中空であり、開放端部５０を有する。電極支持管３８は、接地ローラー２２に面する複数の孔５２を有する。コロナ処理及び電極２４の冷却中に発生するオゾンの排気が、既知の方法で、孔５２、電極支持管３８、及びその開放端部５０によって形成される経路によりもたらされる。
【００１４】
電極マガジン４０は、電極支持管３８に接続される一対のシールド５４、５６と、シールド５４、５６間の電極２４を支持する支持管５８とを備える。このように、シールド５４、５６は、電極支持管３８を通して排気されるオゾンを導くのを補助する。
【００１５】
電極２４は、複数の平行電極とすることができ、電極２４は、当該技術分野において既知のように、セラミック電極、ＦＩＮ電極、分割電極とすることができる。
【００１６】
接地ローラー２２は、端部プレート３４、３６間のシャフト６０に回転するように取り付けられ、支持管２２の下かつ電極２４の下に配置される。電極２４は、接地ローラー２２の長さに及ぶことができる。接地ローラー２２及び電極２４は、互いに１．５ｍｍ離間して、空隙６２を形成することができる。図５及び図６を参照されたい。コロナ処理システムにおいて使用される接地ローラーは、当該技術分野において既知である。接地ローラー２２は、鋼、セラミック、ゴム等から形成される表面２２ａを有することができる。接地ローラー２２は、ガラス繊維強化エポキシ樹脂又はガラス繊維強化ポリマーポリエステル等の剛性誘電性材料製の自己支持管から形成することができる。導電層は、接地ローラー２２の内壁に接合することができる。導電層は、グラファイト等の導体を含む比較的薄い導電性金属フィルム又はコーティングである。導電層は、比較的薄く、ローラーの内壁によって支持されることから、自己支持性である必要はない。
【００１７】
アイドラーローラー４２は、端部プレート３４、３６間のそれぞれのシャフト６４に、回転するように取り付けられ、離間した関係で接地ローラー２２の下に位置する。
【００１８】
電源キャビネット３０は、電源と、高圧線が設けられた高圧トランスとを備える。この高圧線は、通常、端部プレート３４の後ろに位置する高電圧カバープレートによって包囲される高電圧接続部において終端する。高電圧接続部は、電極２４と接地ローラー２２との間に処理されるウェブを挟んだ状態で、接地ローラー２２と電極２４との間に高圧電界を確立する。よく知られているように、高圧電界は、コロナ放電を確立して、ウェブ材料の化学組成に改質をもたらし、それにより、ウェブ材料の濡れ性等の選択された性質が向上し、ウェブ材料に印刷物質又はコーティングがより有利に付着することができるようになる。
【００１９】
使用時、ウェブは、アイドラーローラー４２によって上方に導かれ、電極２４から離間した関係で接地ローラー２２に巻き付けられる。ウェブは、接地ローラー２２の長さ全体には及ばず、接地ローラー２２の少なくとも一端部において一部分６６が露出するようになっている。電極２４は、この部分６６に及んで、接地ローラー２２のこの部分６６の表面２２ａが、電極２４から高電圧を受けるようになっている。接地ローラー２２は、ウェブを支持し、ウェブは、電極２４の長手方向に対して横断方向に接地ローラー２２と電極２４との間の空隙６２を通過する際に処理される。２つの電極２２、２４間の空隙６２は、通常約１．５ｍｍ幅であり、電源によって電極２４に通電し、高電圧をもたらすと、空隙６２にコロナ放電が発生する。空隙６２を通過するウェブの表面は、コロナに曝露されることにより改質され、それにより、ウェブの表面の印刷特性が向上する。しかしながら、電極２４によって生成される高周波電圧は、接地ローラー２２にも印加される。これにより、接地ローラー２２が加熱され、これは、接地ローラー２２の表面２２ａに酸化及び孔食等の欠陥をもたらす。これらの欠陥は、接地ローラー２２の部分６６に現れ、カラーセンサー２４によって検出される。
【００２０】
カラーセンサー２６は、特定の反射率監視能力を有し、接地ローラー２２から規定の距離Ｄを置いて取り付けられる。カラーセンサー２６は、埃、水、ごみ、熱、及びオゾンに耐性があり、このようなセンサーは、一般的に、ＩＰ６４センサーと称される。カラーセンサー２６は、図６に示されているように、接地ローラー２２の周囲に対する様々な位置に取り付けることができる。図６に示されているように、カラーセンサー２６（実線で示されているもの）は、電極２４に対して概ね直径方向に対向するように取り付けることができる。カラーセンサー２６は、図６に示されているように、最小で電極２４から４５度離れた角度αで離間する。カラーセンサー２６の様々な取付け位置が図６に示されているが、センサー２６は、矢印βによって示されている弧を通る接地ローラー２２の周囲の任意の位置に取り付けることができる。
【００２１】
カラーセンサー２６は、接地ローラー２２の表面の部分６６を白色光で照明し、反射した色値を捕捉及び分析する。カラーセンサー２６は、接地ローラー２２の外観が「きれい」であること、すなわち、接地ローラー２２上に欠陥が存在しない状態を表す、接地ローラー２２における基本反射率状態を認識するように予めプログラムされる。カラーセンサー２６は、接地ローラー２２の外観の汚染閾値、すなわち、接地ローラー２２上に欠陥が存在することを表す、接地ローラー２２における「不適正反射率状態」を認識するように予めプログラムされる。接地ローラー２２のカラーセンサー２６に近い部分６６が不適正反射率状態に達すると、接地ローラー２２の部分６６に欠陥が存在することになるため、カラーセンサー２６から装置４００に信号が送信され、アラーム４０１が作動し、及び／又はコロナ処理システム２０の動作が停止する。好適なカラーセンサー２６の一例は、MICRO-EPSILON MESSTECHNIK GmbH & Co. KG社が販売するcolorSENSOR 26 OT-3-MAという商品名で販売されているものである。
【００２２】
カラーセンサー２６は、ウェブのコロナ処理中にウェブによって覆われていない接地ローラー２２の部分６６に、カラーセンサー２６の光線を向けるように位置付けられる。図示のように、カラーセンサー２６は、接地ローラー２２の一端部の近位に位置付けられる。
【００２３】
カラーセンサー２６は、端部プレート３４から延在するアーム６８に取り付けることができる。カラーセンサー２６のアーム６８は、カラーセンサー２６を接地ローラー２２から所定の距離だけ接離して移動させることができるように、端部プレート３４に対して可動である。例えば、カラーセンサー２６は、接地ローラー２２から２インチ〜５インチ離して位置付け、接地ローラー２２における０．５インチ〜２インチの検知直径をもたらすことができる。検知直径は、接地ローラー２２の直径に応じて決まる。アーム６８を移動させることにより、カラーセンサー２６を移動させて、端部プレート３４に対する新たな位置に固定することができる。カラーセンサー２６は、異なるサイズの接地ローラーに対応するように、及び射影を最小限にするように移動させることができる。
【００２４】
図示のように、アーム６８は、端部プレート３４に当接する第１の部分７０と、第１の部分７０に対して垂直な第２の部分７２とを有する。図７に示されているように、第１の部分７０は、締結具７６が嵌まるスロット７４を有する。締結具７６は、端部プレート３４の孔に螺合する。カラーセンサー２６は、第２のアーム６８の自由端部に取り付けられる。接地ローラー２２に対するカラーセンサー２６の位置を変化させるには、締結具７６を緩め、アーム６８を端部プレート３４に対して動かすことができる。これにより、締結具７６は、スロット７４内を平行移動し、それにより、アーム６８及びカラーセンサー２６を新たな位置に移動させることが可能になる。カラーセンサー２６が所望の新たな位置に位置付けられると、締結具７６は、アーム６８／カラーセンサー２６と端部プレート３４との間の更なる相対移動を防ぐように固定される。スロット７４は、これに代わって、アーム６８の孔とともに端部プレート３４上に設けることもできる。カラーセンサー２６と端部プレート３４との間の相対移動を可能にするこの構造は、単に例示であり、カラーセンサー２６と端部プレート３４との間の相対移動を可能にする、当業者に既知の多くの構造が提供され得ることを理解されたい。
【００２５】
述べたように、カラーセンサー２６は、接地ローラー２２における特定レベルの反射率を検知するように用いられ、この情報は、装置４００に供給され、アラーム４０１によって操作者に警告する、及び／又は、装置４００によって、コロナ処理システム２０の動作を停止するのに用いられる。アラーム４０１は、可聴信号、光、可聴信号及び光の組合せ等の形態をとることができる。アラーム４０１の起動は、装置４００によって、コロナ処理システム２０の動作を停止するように用いることもできる。操作者が報せを受けると、操作者は、接地ローラー２２に点検が必要であることを認識する。
【００２６】
空気流を検出するセンサー（図示せず）及び接地ローラー２２の速度を検出するセンサー（図示せず）等の他のセンサーをコロナ処理システム２０に設けてもよい。
【００２７】
図８は、いくつかの例示的な実施形態に従ってコロナ処理システム２０において実現することができる装置４００のブロック図を示している。これに関して、コロナ処理システム２０において実現される場合、装置４００は、コロナ処理システム２０が、カラーセンサー２６からの情報を分析し、アラーム４０１を作動させる及び／又は１つ以上の例示的な実施形態に係るコロナ処理システム２０の動作を停止することを可能にすることができる。図８に示されているとともに、図８に関して後述するコンポーネント、デバイス、又は要素は、必須でない場合があり、したがって、そのいくつかは、或る特定の実施形態において省かれる場合があることが理解される。さらに、いくつかの実施形態は、図８に示されているとともに、図８に関して記載される範囲を越えた、更なる又は異なるコンポーネント、デバイス、又は要素を含むことができる。
【００２８】
いくつかの例示的な実施形態において、装置４００は、本明細書に開示の１つ以上の例示的な実施形態に係る動作を実行するように構成可能な処理回路４１０を備えることができる。これに関して、処理回路４１０は、種々の例示的な実施形態に従って、ローラー２２及び電極２４を作動させること、カラーセンサー２６を作動させること、及びカラーセンサー２６からの情報を分析して、アラーム４０１を作動させる及び／又はコロナ処理システム２０の動作を停止すること等の、コロナ処理システム２０の１つ以上の機能を実行する及び／又はその実行を制御するように構成することができる。処理回路４１０は、１つ以上の例示的な実施形態に従って、データ処理、アプリケーション実行、及び／又は他の処理及び管理サービスを実行するように構成することができる。
【００２９】
いくつかの実施形態において、装置４００又はその部分（複数の場合もある）又は処理回路４１０等のコンポーネント（複数の場合もある）は、１つ以上のチップセット及び／又は集積回路によって提供することができる他のコンポーネントを含むことができる。
【００３０】
いくつかの例示的な実施形態において、処理回路４１０は、プロセッサ４１２を備えることができ、図８に示されているようないくつかの実施形態において、メモリ４１４を更に備えることができる。処理回路４１０は、カラーセンサー２６と通信することができるか、又は、別様には、無線通信インターフェース４１６を制御して、カラーセンサー２６と通信することができる（カラーセンサー２６は、処理回路４１０及び／又は制御モジュール４１８にハードワイヤ接続することができる）。
【００３１】
プロセッサ４１２は種々の形態で実現することができる。例えば、プロセッサ４１２は、マイクロプロセッサ、コプロセッサ、制御装置、又は、例えば、ＡＳＩＣ（特定用途向け集積回路）、ＦＰＧＡ（フィールドプログラマブルゲートアレイ）、その何らかの組合せ等の集積回路を含む種々の他の計算デバイス若しくは処理デバイス等の、種々のハードウェアベースの処理手段として実現することができる。単一のプロセッサとして示されているが、プロセッサ４１２は、複数のプロセッサを含むことができることが理解される。複数のプロセッサは、互いに動作通信することができ、本明細書に記載の装置４００の１つ以上の機能を実行するように集合的に構成することができる。いくつかの例示的な実施形態において、プロセッサ４１２は、メモリ４１４に記憶することができるか又は別様にプロセッサ４１２にアクセス可能とすることができる命令を実行するように構成することができる。したがって、ハードウェアによって構成されているか又はハードウェア及びソフトウェアの組合せによって構成されているかにかかわらず、プロセッサ４１２は、種々の実施形態に係る動作を実行するとともに、それに応じて構成することが可能である。
【００３２】
いくつかの例示的な実施形態において、メモリ４１４は、１つ以上のメモリデバイスを含むことができる。メモリ４１４は、固定メモリデバイス及び／又はリムーバブルメモリデバイスを含むことができる。いくつかの実施形態において、メモリ４１４は、プロセッサ４１２によって実行することができるコンピュータープログラム命令を記憶することができる非一時的コンピューター可読記憶媒体を提供することができる。これに関して、メモリ４１４は、装置４００が１つ以上の例示的な実施形態に従って種々の機能を実行することを可能にする、情報、データ、アプリケーション、命令等を記憶するように構成することができる。いくつかの実施形態において、メモリ４１４は、プロセッサ４１２及び送信電力制御モジュール４１８の１つ以上と、装置４００のコンポーネント間で情報を受け渡す１つ以上のバスを介して通信することができる。
【００３３】
装置４００は、回路、ハードウェア、処理デバイス（例えば、プロセッサ４１２）によって実行可能なコンピューター可読プログラム命令を記憶するコンピューター可読媒体（例えば、メモリ４１４）を備えるコンピュータープログラム製品、又はそれらの何らかの組合せを更に備えることができる。いくつかの実施形態において、プロセッサ４１２（又は処理回路４１０）は、送信電力制御モジュール４１８を含むか又は別様に制御することができる。
【００３４】
要約書は、読み手が、技術的な開示内容の本質を素早く確認することができるように設けられている。要約書は、特許請求の範囲の範囲又は意味を解釈又は限定するのに用いるものではないという理解のもとで提示されている。さらに、上記の詳細な記載では、本開示を合理的にするために種々の実施形態において種々の特徴がグループ化されていることを見て取ることができる。本開示のこの方法は、特許請求される実施形態が、各請求項に明示的に記載されるよりも多くの特徴を必要とするという意図を示すものとして解釈すべきではない。むしろ、添付の特許請求の範囲が示すように、発明の主題は、開示されている単一の実施形態の全ての特徴よりも少ない特徴において存在する。したがって、添付の特許請求の範囲は、本明細書において、各請求項が別個に特許請求されている主題として独立したものとして、詳細な記載に組み込まれる。
【００３５】
本発明の種々の実施形態を記載したが、他の実施形態及び実施態様が、本発明の範囲内において可能であることが当業者には明らかとなるであろう。したがって、本発明は、添付の特許請求の範囲及びその均等物に関するものを除いて制限されるべきではない。
【符号の説明】
【００３６】
２０    コロナ処理システム
２２    接地ローラー
２２ａ    表面
２４    高圧電極
２４    カラーセンサー
２６    カラーセンサー
３０    電源キャビネット
３２    コントロールパネル
３４    第１の端部プレート
３６    第２の端部プレート
３８    電極支持管
４０    電極マガジン
４２    アイドラーローラー
４５    電極
４６    ライト
４８    タイバー
５０    開放端部
５２    孔
５４    シールド
５６    シールド
５８    支持管
６０    シャフト
６２    空隙
６４    シャフト
６８    第２のアーム
７０    第１の部分
７２    第２の部分
７４    スロット
７６    締結具
４００    装置
４０１    アラーム
４１０    処理回路
４１２    プロセッサ
４１４    メモリ
４１６    無線通信インターフェース
４１８    送信電力制御モジュール
４１８    制御モジュール
【図１】
2019511638.tif 000003
【図２】
2019511638.tif 000004
【図３】
2019511638.tif 000005
【図４】
2019511638.tif 000006
【図５】
2019511638.tif 000007
【図６】
2019511638.tif 000008
【図７】
2019511638.tif 000009
【図８】
2019511638.tif 000010
【国際調査報告】
2019511638.tif 000011
2019511638.tif 000012